(57)【要約】【課題】  使用者の頭部に装着されて眼前に配置される際に、高精細の画像を提供することができて動画処理の負担が抑制された表示装置を提供する。【解決手段】  複数の画素が配置された表示領域ＤＰを備えた表示装置であって、表示領域ＤＰは、他の部分よりも画素の面積が小さくなる高精細表示部ＨＲを有し、高精細表示部ＨＲの中心は、表示領域ＤＰの中心からずれた位置において配置される、ことを特徴とする表示装置。【選択図】図９
2017044768.tif 000002
【特許請求の範囲】
【請求項１】
複数の画素が配置された表示領域を備えた表示装置であって、
前記表示領域は、低精細表示部と、前記低精細表示部よりも画素の面積が小さくなる高精細表示部を有し、前記高精細表示部の中心は、前記表示領域の中心からずれた位置において配置される、
ことを特徴とする表示装置。
【請求項２】
請求項１に記載された表示装置を、使用者の両眼の前にそれぞれ備えた頭部装着型の表示装置であって、
左眼前に配置された表示装置の前記高精細表示部の中心は、左眼前に配置された表示装置の中心よりも右眼前に配置された表示装置に近い位置に配置され、
右眼前に配置された表示装置の前記高精細表示部の中心は、右眼前に配置された表示装置の中心よりも左眼前に配置された表示装置に近い位置に配置される、
ことを特徴とする頭部装着型の表示装置。
【請求項３】
複数の画素が配置される表示領域を備えた表示装置であって、
前記表示領域は、当該表示領域を線対称に分割をする中心線を基準として第１の領域と第２の領域に分割され、
前記第１の領域は、低精細表示部と、当該第１の領域における前記低精細表示部よりも画素の面積が小さくなる高精細表示部を有し、当該高精細表示部の中心は、前記第１の領域の中心よりも前記中心線に近い位置に配置され、
前記第２の領域は、低精細表示部と、当該第２の領域における前記低精細表示部よりも画素の面積が小さくなる高精細表示部を有し、当該高精細表示部の中心は、前記第２の領域の中心よりも前記中心線に近い位置に配置される、
ことを特徴とする表示装置。
【請求項４】
請求項３に記載された表示装置を、使用者の両眼の前に備えた頭部装着型の表示装置。
【請求項５】
請求項１乃至４のいずれかに記載の表示装置であって、
前記表示領域に表示する画像データを出力する映像信号処理部を有し、
前記映像信号処理部は、前記表示領域における前記高精細表示部における解像度が、前記低精細表示部における解像度よりも高くなるように前記画像データを出力する、
ことを特徴とする表示装置。
【請求項６】
請求項１乃至４のいずれかに記載の表示装置であって、
前記表示領域の画像に着色をする着色層を備えたカラーフィルタ基板を有し、
前記カラーフィルタ基板では、前記低精細表示部の単位面積当たりの光透過率は、前記高精細表示部における単位面積当たりの光透過率よりも大きくなるように、前記着色層が配置される、
ことを特徴とする表示装置。
【請求項７】
請求項１乃至４のいずれかに記載の表示装置であって、
前記表示領域における前記複数の画素の駆動を制御する薄膜トランジスタ基板を有し、
前記薄膜トランジスタ基板は、
複数の走査信号線と、複数の映像信号線のそれぞれによって同一面積の区画となるように格子状に仕切られる複数の区画領域と、
前記区画領域における薄膜トランジスタから配線が引き回されて接続されて、前記高精細表示部における画素の大きさに対応して当該高精細表示部の各画素に配置される高精細画素電極と、
前記区画領域における薄膜トランジスタから配線が引き回されて接続されて、前記低精細表示部における画素の大きさに対応して当該低精細表示部の各画素に配置される低精細画素電極と、を有する、
ことを特徴とする表示装置。
【請求項８】
請求項２又は４のいずれかに記載の頭部装着型の表示装置であって、
使用者の両眼のそれぞれと、前記表示装置の間には光学系が配置されて、
前記高精細表示部の中心は、前記光学系の光軸を基準として３．０ｍｍ以上８．５ｍｍ以下ずれるように配置される、
ことを特徴とする頭部装着型の表示装置。
【請求項９】
請求項１、３、及び７のいずれか一に記載の表示装置であって、
前記低精細表示部と前記高精細表示部は、いずれも同一基板上の絶縁表面に設けられた前記表示領域内に設けられている
ことを特徴とする表示装置。
【発明の詳細な説明】
【技術分野】
【０００１】
本発明は、表示装置および頭部装着型の表示装置に関する。
に関する。
【背景技術】
【０００２】
頭部に装着をして、眼前に配置されたディスプレイにて画像を表示するように構成された頭部装着型の表示装置（Head Mount Display、ＨＭＤともいう。）が知られている。
【０００３】
なお特許文献１には、画面を大型化して臨場感のある画像を観察でき、且つ装置の製造コストや駆動時の画像データ量を抑えることのできる画像表示装置を提供する旨が記載されている。
【先行技術文献】
【特許文献】
【０００４】
【特許文献１】特開２０１３−１１７５５３号公報
【発明の開示】
【発明が解決しようとする課題】
【０００５】
頭部装着型の表示装置では、画面サイズに対して使用者の視野角が大きいため、一画素あたりにおける視角が大きくなることから、高精細化の要請が大きくなっている。
【０００６】
しかしながら、このようなヘッドマウントディスプレイにおいて高精細化を進める際に、さらに、動画特性や３次元表示特性といった要請を満たすようにする場合には、いわゆる大画面の４Ｋテレビ等とは異なり、小さな画面に負荷が集中をして表示装置の処理負担が大きくなることとなる。
【０００７】
本発明は、上記のような課題に鑑みて、使用者の頭部に装着されて眼前に配置される際に、高精細の画像を提供することができて動画処理の負担が抑制された表示装置を提供することを目的とする。また本発明は、高精細の画像を提供することができて動画処理の負担が抑制された頭部装着型の表示装置を提供することを目的とする。
【課題を解決するための手段】
【０００８】
本発明に係る表示装置は、上記課題に鑑みて、複数の画素が配置された表示領域を備えた表示装置であって、前記表示領域は、低精細表示部と、前記低精細表示部よりも画素の面積が小さくなる高精細表示部を有し、前記高精細表示部の中心は、前記表示領域の中心からずれた位置において配置される、ことを特徴とする。
【０００９】
また本発明に係る表示装置は、複数の画素が配置される表示領域を備えた表示装置であって、前記表示領域は、当該表示領域を線対称に分割をする中心線を基準として第１の領域と第２の領域に分割され、前記第１の領域は、低精細表示部と、当該第１の領域における前記低精細表示部よりも画素の面積が小さくなる高精細表示部を有し、当該高精細表示部の中心は、前記第１の領域の中心よりも前記中心線に近い位置に配置され、前記第２の領域は、低精細表示部と、当該第２の領域における前記低精細表示部よりも画素の面積が小さくなる高精細表示部を有し、当該高精細表示部の中心は、前記第２の領域の中心よりも前記中心線に近い位置に配置される、ことを特徴とする。
【図面の簡単な説明】
【００１０】
【図１】第１の実施形態にかかるヘッドマウントディスプレイの斜視図である。
【図２】第１の実施形態にかかる表示装置の概略図である。
【図３】第１の実施形態における表示装置の画素回路の様子を示す概略図である。
【図４】人間の視覚を司る器官である眼の様子を説明するための図である。
【図５】第１の実施形態における表示領域の画素のレイアウトを説明するための図である。
【図６】第１の実施形態にかかる表示装置の所定位置における断面を説明するための図である。
【図７】第１の実施形態にかかるヘッドマウントディスプレイの構造を説明するための図である。
【図８】第２の実施形態にかかるヘッドマウントディスプレイの斜視図である。
【図９】第２の実施形態における左目用の表示装置と右目用の表示装置の画素のレイアウトを説明するための図である。
【図１０】第３の実施形態にかかる表示装置の所定位置における断面を説明するための図である。
【図１１】第４の実施形態における表示領域の画素のレイアウトを説明するための図である。
【図１２Ａ】第５の実施形態の表示装置における映像信号処理を説明するための図である。
【図１２Ｂ】第５の実施形態の表示装置における映像信号処理の変形例を説明するための図である。
【図１３】第６の実施形態の表示装置における映像信号処理の変形例を説明するための図である。
【図１４】第７の実施形態の表示装置におけるカラーフィルタの様子を説明するための図である。
【図１５】第８の実施形態の表示装置におけるカラーフィルタの様子を説明するための図である。
【発明を実施するための形態】
【００１１】
以下、本発明の各実施形態に係る有機ＥＬ表示装置について、図面を参照しながら説明する。
【００１２】
［第１の実施形態］
図１は、第１の実施形態のヘッドマウントディスプレイ１（頭部装着型の表示装置）を説明するための斜視図である。同図で示されるように本実施形態のヘッドマウントディスプレイ１では、使用者の頭部に係止可能な環状のヘッドバンドＨＢと、ヘッドバンドによって支持されて使用者の眼前を覆うカバー部材ＣＶと、カバー部材ＣＶの内部にて使用者の眼前にて着脱可能に固定される（あるいは一体的に固定される）表示装置２を含んで構成される。
【００１３】
またヘッドマウントディスプレイ１には、画像信号及び音声信号が入力される不図示の受信部が設けられており、受信部に入力された画像信号に基づいて表示装置２に画像が表示され、受信部に入力された音声信号に基づいて不図示のスピーカー等から音声が出力される。
【００１４】
図２は、本実施形態のヘッドマウントディスプレイ１のカバー部材ＣＶの内部に備え付けられる表示装置２を説明するための概略斜視図である。本実施形態の表示装置２は、複数の自発光素子としての有機エレクトロルミネッセンス素子が配置された第１基板Ｂ１に、第２基板Ｂ２が貼り合わされて、ケースＣＡにて外部が覆われて構成される有機エレクトロルミネッセンス表示装置となっている。また、第１基板Ｂ１は、第２基板Ｂ２から露出した領域（露出領域ＥＸ）を有している。この露出領域ＥＸには、表示装置２に信号や電源を供給するための入力端子等が形成される。
【００１５】
図３は、第１の実施形態の表示装置１の表示領域ＤＰにおける画素回路の様子を示す図である。表示装置２は、画像を表示する表示領域ＤＰと、走査信号線駆動部ＧＤＲと、映像信号線駆動部ＤＤＲと、電源駆動部ＥＤＲとを備える。
【００１６】
表示領域ＤＰにおいては、複数画素のそれぞれに対応して有機エレクトロルミネッセンス素子ＯＬ、および、画素回路ＰＸがマトリクス状に配置されており、画素回路ＰＸは薄膜トランジスタＴＦＴ１、容量素子ＣＡＰ、および薄膜トランジスタＴＦＴ２を含んで構成される。走査信号線駆動部ＧＤＲと映像信号線駆動部ＤＤＲ、電源駆動部ＥＤＲは、画素回路ＰＸを駆動して有機エレクトロルミネッセンス素子ＯＬの発光を制御する。
【００１７】
走査信号線駆動部ＧＤＲは、画素の水平方向の並び（画素行）ごとに設けられた走査信号線ＧＬに接続されて、順番に選択された走査信号線ＧＬに走査信号を出力する。
【００１８】
映像信号線駆動部ＤＤＲは、画素の垂直方向の並び（画素列）ごとに設けられた映像信号線ＤＬに接続されて、走査信号線駆動部ＧＤＲによる走査信号線ＧＬの選択にあわせて、選択された画素行の映像信号に応じた電圧を各映像信号線ＤＬに出力をする。当該電圧は、画素回路ＰＸ内の容量素子ＣＡＰに書き込まれて、書き込まれた電圧に応じた電流が有機エレクトロルミネッセンス素子ＯＬに供給される。
【００１９】
電源駆動部ＥＤＲは、画素列ごとに設けられた駆動電源線ＳＬに接続されて、画素回路ＰＸ内の薄膜トランジスタＴＦＴ２を介して有機エレクトロルミネッセンス素子ＯＬに電流を供給する。
【００２０】
有機エレクトロルミネッセンス素子ＯＬの陰極（カソード）は、一定電位、例えば接地電位に接続され、全画素の有機エレクトロルミネッセンス素子ＯＬの陰極は、共通の電極で構成される。
【００２１】
図４は、人間の眼球（右目）の断面の様子を説明するための図である。同図で示されるように、人間の眼球は、水晶体ＣＲと、硝子体ＧＡと、網膜ＲＴを有しており、網膜ＲＴの黄斑部の中心には、中心窩ＦＣが位置している。この中心窩ＦＣと呼ばれる部位には、高分解能で色弁別機能を有するが感度が低い錐体細胞の密度が高く存在しており、中心窩ＦＣの外側には、分解能が低く色弁別機能を有さないが桿体細胞の密度が高く存在している。
【００２２】
中心窩ＦＣは、図４で示されるように、眼球光学系の光軸ＡＸからずれたところに位置しており、右眼球であれば中心から右側に数度ずれたところに、左眼球であれば中心から左側に数度（４度以上８度以下）ずれたところに存在していることが知られている。
【００２３】
ヘッドマウントディスプレイにてVirtual Reality等に適用する場合には、表示装置２と使用者の眼球との位置が非常に近接しているため、使用者の注視位置を変える際に大きな視点移動を伴わず、表示装置２に対する眼球光学系や中心窩の位置が固定されることが想定される。
【００２４】
そこで本実施形態の表示装置２では、図５の表示領域ＤＰの画素レイアウト図で示されるように、横長の矩形状となる表示領域ＤＰの中央から左側の領域（左目に画像を供給する第１の領域Ｒ１）と、中央から右側の領域（右目に画像を供給する第２の領域Ｒ２）のそれぞれにおいて、高精細となる部分（高精細表示部ＨＲ）と、その他の部分（低精細表示部ＬＲ）が存在しており、高精細となる部分の中心は、第１の領域と第２の領域の中央よりも、表示領域ＤＰの中心線に近い側に位置するようになっている。高精細表示部ＨＲは、横長となる表示領域ＤＰの中心線を基準として対称に配置されており、低精細表示部ＬＲでは、高精細表示部ＨＲよりも画素のサイズが大きくなっている。
【００２５】
本実施形態の表示装置２において、図５のように高精細画素と低精細画素がレイアウトされることで、高分解能となる中心窩ＦＣの錐体細胞に対して高精細画像を提供しつつ、中心窩ＦＣの外側に位置して低分解能となる桿体細胞に対しては低精細画像を提供してVirtual Reality等の動画処理の負担が軽減されることとなる。
【００２６】
次に、図６を用いて本実施形態の表示装置２の低精細表示部ＬＲとの境界付近にある高精細表示部ＨＲの画素についての断面図について説明をする。本実施形態の表示装置２は、同図で示されるように、複数の有機エレクトロルミネッセンス素子ＯＬが形成されてポリイミドで構成された第１基板Ｂ１と、カラーフィルタ層ＣＦおよびブラックマトリクスＢＭが形成された第２基板Ｂ２とによって、それらが充填材ＦＬを挟み込むように構成される。
【００２７】
また有機エレクトロルミネッセンス素子ＯＬは、画素電極Ｐ１と、有機層Ｅ１と、共通電極Ｃ１を含んで構成される。また、画素電極Ｐ１との間にて容量素子ＣＡＰを形成するための配線層Ｌ１と、容量絶縁層ＣＰとが配置される。この容量絶縁層ＣＰは、例えば窒化シリコン（ＳｉＮｘ）のような無機絶縁膜によって形成される。また有機エレクトロルミネッセンス素子ＯＬの下地には、アクリル樹脂やポリイミド樹脂等の有機絶縁膜で形成された平坦化層ＨＰＬが形成され、各画素（各有機エレクトロルミネッセンス素子ＯＬ）は、同様の有機絶縁膜で形成されたバンク層ＢＮＫにてそれぞれが分離される。
【００２８】
有機エレクトロルミネッセンス素子ＯＬの画素電極Ｐ１（陽極）は、例えば酸化インジウム錫（以下、ＩＴＯ：Indium Tin Oxide）と、銀と、ＩＴＯによる三層積層構造で設けられた反射電極となっている。この画素電極Ｐ１は、コンタクトホールＣＨの底部から延在するＩＴＯで形成された第１の透明導電膜Ｔ１に接続される。画素電極Ｐ１と第１の透明導電膜Ｔ１は、容量絶縁層ＣＰに形成された開口を介して接続される。またコンタクトホールＣＨでは、第１の透明導電膜Ｔ１の内側が容量絶縁層ＣＰに覆われている。
【００２９】
画素電極Ｐ１は、平坦化層ＨＰＬの下方に形成された薄膜トランジスタＴＦＴ２のソース電極と導通する。共通電極Ｃ１は、ＩＴＯ等の透明導電膜によって形成されて、表示領域ＤＰ内の全画素において共通する一層のベタ状の電極となる。
【００３０】
本実施形態における有機層Ｅ１は、共通電極Ｃ１と画素電極Ｐ１の間に形成されて、ホール輸送層、発光層、電子輸送層を含んで構成される。有機層Ｅ１における発光層では、画素電極Ｐ１から注入されたホールと、共通電極Ｃ１から注入された電子とが再結合することにより発光する。また有機層Ｅ１を構成する全ての層が表示領域ＤＰの全体にわたって形成されていてもよいし、画素ごとに個別に形成されていてもよい。有機エレクトロルミネッセンス素子ＯＬの発光層の輝度は、薄膜トランジスタＴＦＴ２からの電流によって制御される。
【００３１】
また、各画素の有機エレクトロルミネッセンス素子ＯＬは、封止層ＰＡで覆われて保護されるようになっている。本実施形態における封止層ＰＡは、無機絶縁膜によって構成され、具体的には、窒化シリコン層や酸化シリコン層を含んで構成される。
【００３２】
ここで特に、本実施形態における表示装置２では、第１基板Ｂ１の表示領域ＤＰ内では、複数の走査信号線と複数の映像信号線のそれぞれによって同一面積の区画となるように格子状に仕切られて、薄膜トランジスタＴＦＴ１，ＴＦＴ２が等間隔を置いて均一な密度で形成される。これに対して表示領域ＤＰの画素の密度（平坦化膜ＨＰＬの上層の画素構造の密度）は、図５のように高精細表示部ＨＲと低精細表示部ＬＲとを有するように変化しており、画素電極Ｐ１の大きさが画素の密度に対応して変化するようなっている。
【００３３】
このため本実施形態における高精細表示部ＨＲの画素電極Ｐ１は、図６で示されるように、第１基板Ｂ１の薄膜トランジスタＴＦＴ２の位置に対応して形成されたコンタクトホールＣＨから引き回された第１の透明導電膜Ｔ１と接続しており、第１の透明導電膜Ｔ１によって、画素電極Ｐ１の配置と、薄膜トランジスタＴＦＴ２との位置的なギャップを埋めるようになっている。このように平坦化膜ＨＰＬよりも上層にて引き回されることで、図５で示されるような高精細表示部ＨＲと低精細表示部ＬＲを備えた表示領域ＤＰが容易に実現される。
【００３４】
次に、図７は、本実施形態におけるヘッドマウントディスプレイ１の構造を説明するための模式図である。同図で示されるように、表示装置２の高精細表示部の中心は、表示装置２と使用者の目の間に存在するヘッドマウントディスプレイ１の光学系（接眼レンズ）ＯＰの光軸ＡＸ２を基準として、表示装置２の中央の側に位置するようになっている。本実施形態におけるヘッドマウントディスプレイ１の光学系ＯＰの光軸ＡＸ２は、ヘッドマウントディスプレイ１の中央（使用者の頭部の中心線）から約３０ｍｍ離れており、表示装置２と光学系ＯＰは約３５ｍｍ離れている。そして高精細表示部ＨＲの中心ＨＲｃは、光軸ＡＸ２を基準として水平方向に３．０ｍｍ以上８．５ｍｍ以下の大きさで離れるようになっており、３．８ｍｍ以上７．７ｍｍ以下の大きさで離れるようにするのが好適となる。このように高精細表示部の中心が、使用者の眼球における中心窩の位置（光軸ＡＸ１に対して４〜８度のずれた位置）に対応して、横長の表示領域ＤＰの中央側にずれて配置されるようにすることで、使用者には高精細画像を提供しつつ動画処理の負担を軽減することができるようになる。
【００３５】
［第２の実施形態］
次に、本発明の第２の実施形態に係るヘッドマウントディスプレイ１について説明をする。
【００３６】
図８は、第２の実施形態にかかるヘッドマウントディスプレイ１の斜視図であり、図９は、第２の実施形態における表示装置２の画素のレイアウトを説明するための図である。
【００３７】
図８で示されるように、第２の実施形態のヘッドマウントディスプレイ１では、カバー部材ＣＶの内部において人間の２つの眼に対応して２つの表示装置２が設けられている。このうちの左目の眼前に配置される表示装置の画素のレイアウトは、図９の左側のような画素のレイアウトとなっており、右目の眼前に配置される表示装置２の画素のレイアウトは、図９の右側のような画素のレイアウトとなっている。
【００３８】
２つの表示装置２においても、第１の実施形態の場合と同様に、他の部分（低精細表示部）よりも単位画素の面積が小さくなる高精細表示部ＨＲがヘッドマウントディスプレイの中央を基準として対称となるように配置される。そして、左目の眼前に配置された表示装置２の場合の高精細表示部ＨＲの中心は、当該表示装置２の中心よりも右目側に位置するようになっており、右目の眼前に配置された表示装置２の場合の高精細表示部ＨＲの中心は、当該表示装置２の中心よりも左目側に位置するようになっている。この場合、２つの表示装置２は同一のものを用いることができる。そして、それら２つの表示装置２の表示面を同じ方向に向け、一方の表示装置２に対して他方の表示装置２を１８０度回転して配置するればよい。このような構成の場合、表示装置２はより小型のものを流用することが可能である。
【００３９】
第２の実施形態のヘッドマウントディスプレイ１は、上記のような点で第１の実施形態のヘッドマウントディスプレイ１と相違しているが、他の点に関しては略同様であるため説明を省略する。
【００４０】
［第３の実施形態］
次に、本発明の第３の実施形態にかかるヘッドマウントディスプレイ１について説明をする。
【００４１】
図１０は、第３の実施形態にかかる表示装置２の高精細表示部ＨＲと低精細表示部ＬＲの境界付近の高精細表示部ＨＲの画素の断面を説明するための図である。第３の実施形態の表示装置２では、第１の透明導電膜Ｔ１と画素電極Ｐ１の間にてさらに、引き回し配線層Ｌ２が介在しており、これにより、薄膜トランジスタＴＦＴ２と画素電極Ｐ１との距離がさらに離れるような画素レイアウトとなる場合であっても適応できるようになる。換言すると、各画素において映像信号線ＤＬと走査信号線ＧＬが取り囲む区画面積が同一となる回路デザインとなる場合であっても、高精細表示部ＨＲの画素電極Ｐ１のサイズを小さくして更なる高精細化をすることができるようになる。
【００４２】
具体的には、平坦化膜ＨＰＬの上層において絶縁層ＩＳがさらに配置され、絶縁層ＩＳに穿たれたコンタクトホールを介して引き回し配線層Ｌ２と第１の透明導電膜Ｔ１が接続される。そして引き回し配線Ｌ２と画素電極Ｐ１は、容量絶縁層ＣＰに穿たれたコンタクトホールを介して接続される。なお、第１の透明導電膜Ｔ１と画素電極Ｐ１としては、さらに多くの配線層や絶縁層を介して接続されるようにしてもよい。
【００４３】
第３の実施形態のヘッドマウントディスプレイ１は、上記のような点で第１の実施形態および第２の実施形態のヘッドマウントディスプレイ１と相違しているが、他の点に関しては略同様であるため説明を省略する。
【００４４】
［第４の実施形態］
次に、本発明の第４の実施形態にかかるヘッドマウントディスプレイ１について説明をする。
【００４５】
図１１は、第４の実施形態にかかる表示装置２の表示領域ＤＰにおける画素のレイアウトの様子を示す図である。
【００４６】
第１の実施形態の表示領域ＤＰでは、横方向において画素の密度が変化するようになっていたが、第５の実施形態の表示装置２では、横方向のみならず縦方向においても画素の密度が変化するようになっている点で相違している。表示領域ＤＰの中央にやや偏った２つの高精細領域ＨＲが、他の部分（低精細表示部）よりも１画素あたりの面積が最も少なくなっており、人間の中心窩に対応したものとなっている。
【００４７】
第４の実施形態のヘッドマウントディスプレイ１は、上記のような点で第１の実施形態のヘッドマウントディスプレイ１と相違しているが、他の点に関しては略同様であるため説明を省略する。なお、第２の実施形態のヘッドマウントディスプレイ１の場合であっても、同様に、横方向のみならず縦方向においても画素の密度が変化するようになっていてもよい。
【００４８】
［第５の実施形態］
次に、本発明の第５の実施形態にかかるヘッドマウントディスプレイ１について説明をする。
【００４９】
図１２Ａは、映像信号線駆動部ＤＤＲから出力される左目に対応する表示領域ＤＰ（表示装置２）の画像を説明するための図であり、元画像から解像度変換処理が施されるものとなっている。低精細表示部ＬＲの一部に対応する領域ＬＷ１においては、元画像の９画素（３画素×３画素）を４画素（２画素×２画素）に変換する処理が行われ、低精細表示部ＬＲの残りの一部に対応する領域ＬＷ２においては、元画像の４画素（２画素×２画素）を１画素に変換する処理が行われる。換言すると領域ＬＷ１では、元画像の９画素の画素値を平均化した値を当該９画素に重なる４画素のそれぞれの画素値として置き換える処理を行い、領域ＬＷ２では、元画像の４画素の画素値を平均化した値を、当該４画素の画素値のそれぞれの画素値として置換える処理を行う。そして高精細表示部ＨＲに対応する領域ＨＧ１においては、解像度の変換をせずに元画像のまま表示をするようになっている。このように第５の実施形態では、画素の単位面積に対応して高精細表示部ＨＲや低精細表示部ＬＲに表示をする画像が変換されるため、動画処理の負荷がさらに軽減されることになる。
【００５０】
図１２Ｂは、第５の実施形態の変形例における解像度変換された画像を説明するための図である。同図における領域ＬＷ１では、２つの映像信号線ＤＬから出力される画素値が平均化されて１種類の画素値が出力されるようになっており、領域ＬＷ２では、４つの映像信号線ＤＬから出力される画素値が平均化されて１種類の画素値が出力されるようになっている。また、領域ＨＧ１では、映像信号線ＤＬから出力される画素値が平均化されず、元画像と同様の画素値が出力されるようになっている。このような場合であっても、画素の単位面積に対応して高精細表示部ＨＲと低精細表示部ＬＲに表示をする画像が変換されるため、動画処理の負荷がさらに軽減されることになる。
【００５１】
なお第５の実施形態においては、領域ＬＷ１，ＬＷ２により、高精細表示部ＨＲに対応する部分以外の領域の画像データが複数段階で解像度が荒くなっているが、高精細表示部ＨＲに対応する領域ＨＧ１においても同様に、例えば、複数段階にわたって解像度が向上するものとなっていてもよいし、高精細表示部ＨＧの中心に近づくにしたがって徐々に解像度が向上するように画像が変換されるようになっていてもよい。
【００５２】
第５の実施形態のヘッドマウントディスプレイ１は、上記のような点で第１の実施形態や第２の実施形態のヘッドマウントディスプレイ１と相違しているが、他の点に関しては略同様であるため説明を省略する。なお第４の実施形態のような画素のレイアウト（図１１）に対して、第５の実施形態のような画素データが適用されてもよい。
【００５３】
［第６の実施形態］
次に、本発明の第６の実施形態にかかるヘッドマウントディスプレイ１について説明をする。
【００５４】
図１３は、第６の実施形態の表示装置２においての左目に対応する表示領域ＤＰ（表示装置２）の画像データを説明するための図である。同図で示されるように、第６の実施形態における映像信号線駆動部ＤＤＲから出力される画像データは、第５の実施形態の場合と同様に、元画像データと、９画素（３画素×３画素）を平均化した画素値が４画素（２画素×２画素）の画素値に適用されるように変換された画像データと、４画素（２画素×２画素）を平均化した画素値が１画素の画素値に適用されるように変換された画像データと、が使用されるようになっており、これらが合成されたものとなっている。
【００５５】
図１３で示されるように、第６の実施形態における映像信号線駆動部ＤＤＲから出力される画像データは、高精細表示部ＨＲの中心と重複する領域ＨＧ１と、これを上下左右に取り囲む領域ＬＷ１，ＬＷ２を有しており、高精細表示部ＨＲの中心から遠ざかるにしたがって、画像データの解像度が低下するようになっている。
【００５６】
第６の実施形態のヘッドマウントディスプレイ１は、上記のような点で第１の実施形態や第２の実施形態のヘッドマウントディスプレイ１と相違しているが、他の点に関しては略同様であるため説明を省略する。なお第４の実施形態のような画素のレイアウト（図１１）に対して、第６の実施形態のような画素データが適用されてもよい。
【００５７】
［第７の実施形態］
次に、本発明の第６の実施形態にかかるヘッドマウントディスプレイ１について説明をする。
【００５８】
図１４は、第７の実施形態の表示装置２における左目に対応する表示領域ＤＰ（表示装置２）のカラーフィルタの様子を説明するための図である。
【００５９】
第７の実施形態における表示装置ＤＰのカラーフィルタは、高精細表示部に対応する領域ＨＧ１ではＲ（赤）、Ｇ（緑）、Ｂ（青）、Ｗ（白）の４色で構成されており、低精細表示部ＬＲに対応する領域ＬＷ１、ＬＷ２では、高精細表示部ＨＲに対応する領域ＨＧ１から遠ざかるにしたがって、単位画素におけるＷの面積（あるいは、Ｗの画素数）が増大するようになっている。具体的には、領域ＨＧ１では、同面積の副画素数が、Ｒ：Ｇ：Ｂ：Ｗ＝１：１：１：１となっており、領域ＬＷ１では、Ｒ：Ｇ：Ｂ：Ｗ＝１：１：１：２となっており、領域ＬＷ２では、Ｒ：Ｇ：Ｂ：Ｗ＝１：１：１：４となっている。
【００６０】
このように高精細表示部ＨＲに対応する領域ＨＧ１よりも低精細表示部ＬＲに対応する領域ＬＷ１、ＬＷ２における画素の白表示部分が増大することで、単位面積あたりの光透過率が向上するようになり、低精細表示部ＬＲでのバックライト等の光利用効率が向上することとなる。
【００６１】
第７の実施形態のヘッドマウントディスプレイ１は、上記のような点で第１の実施形態や第２の実施形態のヘッドマウントディスプレイ１と相違しているが、他の点に関しては略同様であるため説明を省略する。
【００６２】
［第８の実施形態］
次に、本発明の第８の実施形態にかかるヘッドマウントディスプレイ１について説明をする。
【００６３】
図１５は、第８の実施形態の表示装置２における左目に対応する表示領域ＤＰ（表示装置２）のカラーフィルタの様子を説明するための図である。
【００６４】
第８の実施形態における表示装置ＤＰのカラーフィルタにおいても、第７の実施形態のカラーフィルタと同様に、高精細表示部ＨＲに対応する領域ＨＧ１ではＲＧＢＷの４色で構成されており、高精細表示部ＨＲ以外に対応する領域ＬＷ１、ＬＷ２では、高精細表示部ＨＲに対応する部分ＨＧ１から遠ざかるにしたがって、単位画素におけるＷの面積が増大するようになっている。
【００６５】
なお、単位面積当たりの光透過率が向上させて光利用効率を向上させる上では、第７の実施形態や第８の実施形態のように、１画素内の白画素の面積の割合を向上させて色再現性や彩度を低下させるのであってもよいし、領域ＬＷ１、ＬＷ２におけるカラーフィルタの色度を落とす（カラーフィルタの色成分材料を、領域ＨＧ１の場合よりも低下させて画素を白色に近づける）ようにしてもよい。また主画素を構成する副画素のサイズについては、各副画素を同一面積とせずともよく各副画素を異なる面積とするようにしてもよいし、ＲＧＢ以外に副画素を追加する場合にはＷ以外の着色層であってもよく、例えばＧと同様の着色による副画素の追加をして彩度を低下させて光透過率を向上させるようにしてもよい。
【００６６】
第８の実施形態のヘッドマウントディスプレイ１は、上記のような点で第１の実施形態や第２の実施形態のヘッドマウントディスプレイ１と相違しているが、他の点に関しては略同様であるため説明を省略する。なお第４の実施形態のような画素のレイアウト（図１１）に対して、第８の実施形態のようなカラーフィルタが適用されてもよい。
【００６７】
なお上記の各実施形態においては、複数の走査信号線ＧＬと複数の映像信号線ＤＬのそれぞれによって同一面積の区画となるように格子状に仕切られた回路デザインが採用されて、画素電極Ｐ１の配置や大きさにより高精細表示部ＨＲ等が構成されるようになっているが、図５や図９のような画素電極Ｐ１の配置に合わせて（平坦化膜ＨＰＬよりも上側の画素配列に合わせて）、走査信号線ＧＬや映像信号線ＤＬ等の平坦化膜ＨＰＬよりも下側に位置する配線が敷設されていてもよい。
【００６８】
なお上記の各実施形態においては、図５や図９、図１１で示されるように高精細表示部ＨＲの内側や、その他の部分（低精細表示部ＬＲ）の内側において、同一面積となるように画素電極Ｐ１が配列されているが、例えば、高精細表示部ＨＲや低精細表示部ＬＲにおいて画素の大きさが変化をするようにしてもよく、高精細表示部ＨＲ内の所定位置に向かうにしたがって高精細表示部ＨＲや低精細表示部ＬＲの画素が小さくなるようになっていてもよい。
【００６９】
なお上記の各実施形態における表示装置２は有機ＥＬ表示装置となっているが、有機ＥＬ表示装置には限定されず自発光表示装置であればよく、量子ドット発光素子（ＱＬＥＤ：Quantum‐Dot Light Emitting Diode）のような自発光素子を各画素に備えた表示装置であってもよい。また、高精細表示部ＨＲと低精細表示部ＬＲとをＴＦＴ等を配置した画素回路ＰＸのレイアウトによって作り分けられるのであれば、液晶表示装置等の他の表示装置であってもよい。換言すると、高精細表示部ＨＲと低精細表示部ＬＲのそれぞれに合わせて、画素の開口部を配置するように回路をレイアウトできるのであれば、液晶表示装置等の他の表示装置であってもよい。
【００７０】
本発明は、上述した実施形態に限定されるものではなく種々の変形が可能である。本発明の思想の範疇において、当業者であれば、各種の変更例および修正例に想到し得るものであり、それら変更例および修正例についても本発明の範囲に属するものと了解される。また例えば、上記の各実施形態に対して、当業者が適宜、構成要素の追加、削除、もしくは設計変更を行ったもの、または、工程の追加、省略若しくは条件変更を行ったものも、本発明の要旨を備えている限り、本発明の範囲に含まれる。
【符号の説明】
【００７１】
１  ヘッドマウントディスプレイ、２  表示装置、ＣＶ  カバー部材、ＨＢ  ヘッドバンド、Ｂ１  第１基板、Ｂ２  第２基板、ＥＸ  露出領域、ＤＰ  表示領域、ＧＤＲ  走査信号線駆動部、ＤＤＲ  映像信号線駆動部、ＥＤＲ  電源駆動部、ＧＬ  走査信号線、ＤＬ  映像信号線、ＳＬ  駆動電源線、ＰＸ  画素回路、ＯＬ  有機エレクトロルミネッセンス素子、ＣＡＰ  容量素子、ＴＦＴ１，ＴＦＴ２  薄膜トランジスタ、ＣＲ  水晶体、ＧＡ  硝子体、ＲＴ  網膜、ＦＣ  中心窩、ＡＸ１  水晶体の光軸、Ｒ１  第１の領域、Ｒ２  第２の領域、ＨＲ  高精細表示部、ＬＲ  低精細表示部、ＣＦ  カラーフィルタ層、ＢＭ  ブラックマトリクス、ＦＬ  充填材、ＰＡ  封止層、Ｃ１  共通電極、Ｅ１  有機層、Ｐ１  画素電極、ＣＰ  容量絶縁層、Ｌ１  配線層、ＣＨ  コンタクトホール、ＢＮＫ  バンク層、ＨＰＬ  平坦化層、Ｔ１  第１の透明導電層、ＯＰ  光学系、ＡＸ２  接眼レンズの光軸、ＩＳ  絶縁層、Ｌ２  引き回し配線層、ＨＧ１，ＬＷ１，ＬＷ２  領域。
【図１】
2017044768.tif 000003
【図２】
2017044768.tif 000004
【図３】
2017044768.tif 000005
【図４】
2017044768.tif 000006
【図５】
2017044768.tif 000007
【図６】
2017044768.tif 000008
【図７】
2017044768.tif 000009
【図８】
2017044768.tif 000010
【図９】
2017044768.tif 000011
【図１０】
2017044768.tif 000012
【図１１】
2017044768.tif 000013
【図１２Ａ】
2017044768.tif 000014
【図１２Ｂ】
2017044768.tif 000015
【図１３】
2017044768.tif 000016
【図１４】
2017044768.tif 000017
【図１５】
2017044768.tif 000018